(57)【要約】【課題】自動点滅器と外灯等の灯火器及び電源とを容易にしかも短時間で接続することができるようにする。【解決手段】自動点滅器接続器具１０は、電源，外灯４００、及び屋外の明暗に応じて外灯を選択的に点灯するための自動点滅器５００を電気的に接続する際に用いられる。自動点滅器接続器具の筐体部には端子板が収納され、この端子板の端子に電源、外灯、及び自動点滅器から導出するリード線が接続される。そして、筐体部の表面には筐体部を電柱に取り付け固定するための取付金具１００が配設されるとともに、自動点滅器を着脱可能に支持する支持金具９０が配設される。【選択図】図９
2008071610.tif 000002
【特許請求の範囲】
【請求項１】
電源、灯火器、及び屋外の明暗に応じて前記灯火器を選択的に点灯するための自動点滅器を電気的に接続する自動点滅器接続器具であって、
複数の端子を備え前記電源、前記灯火器、及び前記自動点滅器の各々から導出するリード線が前記端子にそれぞれ接続されて前記自動点滅器を介して前記電源と前記灯火器とが電気的に接続された状態となる端子部と、
前記端子部が収納される筐体部と、
前記筐体部の表面に配設され該筐体部を屋外に配置された物体に取り付け固定するための筐体取付部と、
前記筐体部の表面に配設され前記自動点滅器を着脱可能に支持する点滅器支持部と、
を有することを特徴とする自動点滅器接続器具。
【請求項２】
前記筐体部は、
前記端子部が収納される本体部と、
該本体部に対して開閉自在に取り付けられて開状態の際前記端子部を露出させる蓋部と、
を有することを特徴とする請求項１記載の自動点滅器接続器具。
【請求項３】
前記本体部の表面に前記筐体取付部が形成され、
前記蓋部の表面に前記点滅器支持部が形成されていることを特徴とする請求項２記載の自動点滅器接続器具。
【請求項４】
前記本体部の表面には前記筐体取付部が位置づけられる筐体取付部領域が規定され、前記蓋部の表面には前記点滅器支持部が位置づけられる点滅器支持部領域が規定されていることを特徴とする請求項３記載の自動点滅器接続器具。
【請求項５】
前記筐体取付部領域及び前記点滅器支持部領域には、それぞれ前記筐体取付部及び前記点滅器支持部の位置ずれを防止する位置ずれ防止体が形成されていることを特徴とする請求項４記載の自動点滅器接続器具。
【請求項６】
前記筐体取付部によって前記筐体部を前記物体に取付固定した状態において、前記筐体部の鉛直方向下側の面に前記リード線を前記筐体部に導入するための開口部が位置することを特徴とする請求項２〜５いずれかに記載の自動点滅器接続器具。
【請求項７】
前記開口部は多数の切込みスリットが形成された弾性絶縁体で覆われていることを特徴とする請求項６記載の自動点滅器接続器具。
【請求項８】
前記本体部には前記端子部の外周よりも外側で前記端子部を取り囲むように水切り溝が形成され、
前記水切り溝は、前記筐体部が前記筐体取付部によって前記物体に取り付けられた状態において、鉛直方向側端が終端されていることを特徴とする請求項６又は７記載の自動点滅器接続器具。
【請求項９】
前記筐体部が前記筐体取付部によって前記物体に取り付けられた状態において、前記端子部では前記端子が鉛直方向に沿って複数列に配列されており、
前記蓋部は前記本体部に蝶番を回転支点として回動可能に取り付けられており、
前記蓋部を開いた状態で前記自動点滅器から導出するリード線は前記蓋部よりに位置する列の端子に接続されることを特徴とする請求項２〜８いずれかに記載の自動点滅器接続器具。
【発明の詳細な説明】
【技術分野】
【０００１】
本発明は、外灯等の灯火器を自動的に点灯させるための自動点滅器を灯火器及び電源に接続するための自動点滅器接続器具に関する。
【背景技術】
【０００２】
一般に、屋外に配置された外灯は夜間に点灯させ、日中（つまり、明るくなると）消灯させるようにしており、このため、光を感知して自動的に外灯を点灯・消灯させる器具として、自動点滅器が用いられている。この自動点滅器は、電源と外灯との間に配置されるスイッチ器具であり、日中にはオフして外灯と電源とを電気的に切り離し、夜間にはオンして外灯と電源とを電気的に連結するようにしている。
【０００３】
ここで、図１４を参照して、屋外に設けられた物体（屋外物）、例えば、電柱に灯火器である外灯及び自動点滅器を取り付ける際の例について説明する。新規に外灯を、屋外に配設された電柱７００に取り付ける際には、例えば、予め外灯４００と自動点滅器５００とをリード線（外灯側リード線）で接続した状態で取り付け現場に持ち込み、電柱７００に自在バンド７０４によって外灯４００を固定する（つまり、外灯４００の支持金具４００ａが自在バンド７０４によって電柱７００に固定される）。
【０００４】
一方、自在バンド７０４の上側において、自動点滅器５００が取り付けられた自動点滅器固定金具７０２をステンレスバンド７０２ａによって電柱７００に固定し、これによって、自動点滅器５００を電柱７００に配設する。そして、自動点滅器５００から導出するリード線と外灯４００から導出するリード線を電源６００に接続する（つまり、図示の電源６００は配電線であり、自動点滅器５００は電源及び負荷（外灯）に接続されるとともに、接地される）。このようにして、外灯４００と電源６００との間に自動点滅器５００を位置づけることによって、自動点滅器５００を用いて外灯４００の自動点灯及び自動消灯を行うことができる。
【０００５】
自動点滅器５００が故障した際には、自動点滅器５００と電源６００とを接続するリード線及び自動点滅器５００と外灯４００とを接続するリード線をともに切断して、新品の自動点滅器５００を自動点滅器固定金具７０２に取り付けた後、新品の自動点滅器５００のリード線３０６及び３０８をそれぞれ外灯側のリード線３０２及び電源側のリード線３０４に再度接続する（電源側及び負荷側）。さらに、外灯４００と電源６００とを接続するリード線を切断し、自動点滅器５００のリード線３１０を外灯側のリード線３１２及び電源側のリード線３１４に再度接続する（接地側）。この再接続の際、短絡防止のためにその接続部分を絶縁テープで覆う処理を行う。
【０００６】
つまり、自動点滅器５００を新品に取り替える際には、外灯４００と自動点滅器５００とを接続するリード線等を一旦切断し、リード線の被覆を一部剥いで線芯を露出させ、線芯同士を撚って接続した後、この接続部分に絶縁テープ等を巻いて保護するようにしている。例えば、図１４に示すように、リード線３０６とリード線３０２とを接続する際には、線芯同士を撚って接続した後、絶縁テープ３２０を接続部分に巻いて絶縁保護するようにしている。上述のような接続処理は、外灯４００を新品に取り替える際にも行う必要がある。
【特許文献１】特開２００６−８００９７号公報
【発明の開示】
【発明が解決しようとする課題】
【０００７】
ところで、外灯及び自動点滅器ともに屋外に配置されるため、風雨及び日光に晒される時間が極めて長く、このため、外灯及び自動点滅器ともに劣化・故障することが多い。ところが、外灯又は自動点滅器を初めて取り替える際には、作業者は通電状態にあるリード線を切断して、新品の自動点滅器をリード線で前述のようにして外灯及び電源に接続しなければならない。そして、作業者には、感電防止ためゴム手袋の着用が義務付けられており、ゴム手袋を着用している関係上、接続のため線芯同士を撚って接続した後、絶縁テープ処理を行うとなると、迅速に作業を行うことが難しいという課題がある。
【０００８】
さらに、線芯同士を接続した部分では不可避的に接続部分が尖ってゴム手袋に穴が開いてしまう可能性が高く、作業者は取り替え作業を慎重に行わざるを得ず、この点を考慮すると、さらに作業時間が長くなってしまう。
【０００９】
また、接続部分に巻かれた絶縁テープは風雨等に晒される関係上、経年的に劣化しやすく、絶縁テープが劣化すると、通電状態にある接続部分が露出し、特に、作業者が露出した接続部分に接触して短絡事故が発生することがある。
【００１０】
加えて、２度、３度と自動点滅器又は外灯を取り替えるにつれて、その都度リード線を切断する必要があるため（つまり、接続部分を除いてリード線を切断するため）、切断の都度リード線が短くなってしまい、取り替える頻度が多くなると、切断後のリード線によっては自動点滅器、外灯、及び電源の三者を接続できないという事態が生じることがある。
【００１１】
そして、自動点滅器は製造メーカによって、自動点滅器を電柱等の屋外物に支持するための支持台（支持部品）の形状が異なる関係上、自動点滅器の新設又は取り替えの際、別の製造メーカの自動点滅器を使用すると（入札によって別の製造メーカの自動点滅器が新たに納品されることもある）、新設又は取り替えに当たってその作業時間が長くなってしまうという課題もある。
【００１２】
本発明の目的は、容易にしかも短時間で自動点滅器と外灯等の灯火器及び電源とを接続することのできる自動点滅器接続器具を提供することにある。
【００１３】
本発明の他の目的は、リード線の切断に起因するリード線の短化によって自動点滅器、外灯、及び電源の三者を接続できないという事態が生じることのない自動点滅器接続器具を提供することにある。
【００１４】
本発明のさらに他の目的は、短絡事故の生じることのない自動点滅器接続器具を提供することにある。
【課題を解決するための手段】
【００１５】
本発明の自動点滅器接続器具は、電源，灯火器、及び屋外の明暗に応じて前記灯火器を選択的に点灯するための自動点滅器を電気的に接続する際に用いられ、複数の端子を備え前記電源、前記灯火器、及び前記自動点滅器の各々から導出するリード線が前記端子にそれぞれ接続されて前記自動点滅器を介して前記電源と前記灯火器とが電気的に接続された状態となる端子部と、前記端子部が収納される筐体部と、前記筐体部の表面に配設され該筐体部を屋外に配置された物体に取り付け固定するための筐体取付部と、前記筐体部の表面に配設され前記自動点滅器を着脱可能に支持する点滅器支持部とを有することを特徴とするものである。
【００１６】
本発明の自動点滅器接続器具では、前記筐体部は、前記端子部が収納される本体部と、該本体部に対して開閉自在に取り付けられて開状態の際前記端子部を露出させる蓋部とを有している。
【００１７】
本発明の自動点滅器接続器具では、前記本体部の表面に前記筐体取付部が形成され、前記蓋部の表面に前記点滅器支持部が形成されている。
【００１８】
本発明の自動点滅器接続器具では、前記本体部の表面に前記筐体取付部が位置づけられる筐体取付部領域が規定され、前記蓋部の表面に前記点滅器支持部が位置づけられる点滅器支持部領域が規定されている。
【００１９】
本発明の自動点滅器接続器具では、前記筐体取付部領域及び前記点滅器支持部領域には、それぞれ前記筐体取付部及び前記点滅器支持部の位置ずれを防止する位置ずれ防止体が形成されている。
【００２０】
本発明の自動点滅器接続器具では、前記筐体取付部によって前記筐体部を前記物体に取付固定した状態において、前記筐体部の鉛直方向下側の面に前記リード線を前記筐体部に導入するための開口部が位置するようにする。
【００２１】
本発明の自動点滅器接続器具では、前記開口部は多数の切込みスリットが形成された弾性絶縁体で覆われている。
【００２２】
本発明の自動点滅器接続器具では、前記本体部には前記端子部の外周よりも外側で前記端子部を取り囲むように水切り溝が形成されて、前記水切り溝は、前記筐体部が前記筐体取付部によって前記物体に取り付けられた状態において鉛直方向側端が終端されている。
【００２３】
本発明の自動点滅器接続器具では、前記筐体部が前記筐体取付部によって前記物体に取り付けられた状態において、前記端子部では前記端子が鉛直方向に沿って複数列に配列されており、前記蓋部は前記本体部に蝶番を回転支点として回動可能に取り付けられ、前記蓋部を開いた状態で前記自動点滅器から導出するリード線は前記蓋部よりに位置する列の端子に接続される。
【発明の効果】
【００２４】
以上のように、本発明によれば、筐体部内に端子部を備えて、この端子部に電源，灯火器、及び自動点滅器から導出するリード線を接続し自動点滅器を介して電源と灯火器とが電気的に接続された状態とするので、リード線の切断及び絶縁テープ処理が不要となってリード線を端子に接続するだけでよいから、容易にしかも短時間で自動点滅器と外灯等の灯火器及び電源を接続することができる。さらに、リード線を切断する必要がないから、リード線が短くなってしまうことがなく、自動点滅器、外灯、及び電源の三者を接続できないという事態が生じることがない。そして、絶縁テープの劣化に起因する短絡事故を防止することができる。また、本発明では、電柱等の屋外物に筐体取付部によって筐体部を固定し、筐体部に形成された点滅器支持部に自動点滅器を支持するようにしたので、自動点滅器接続器具を電柱等に固定すれば、別に自動点滅器を支持するため部材を電柱に取り付ける必要はなく、固定バンド等の資材が増えることはない。
【００２５】
本発明によれば、筐体部は、端子部が収納される本体部と、本体部に対して開閉自在に取り付けられて開状態の際端子部を露出させる蓋部とを有しているので、蓋部を開けば端子部が露出することになって、容易にリード線と端子との接続を行うことができるという効果がある。
【００２６】
本発明によれば、本体部の表面に筐体取付部を設け、蓋部の表面に点滅器支持部を設けるようにしたので、筐体取付部によって筐体部を電柱等の屋外物に取り付けた際、電柱とは反対側に点滅器支持部が位置することになって、蓋部の開閉が妨げられることがなく、しかも点滅器支持部への自動点滅器の固定が容易に行えるという利点がある。
【００２７】
本発明によれば、本体部の表面及び蓋部の表面にそれぞれ筐体取付部領域及び点滅器支持部領域を規定するようにしたので、筐体部への筐体取付部及び点滅器支持部の取付が極めて容易になるという効果がある。
【００２８】
本発明によれば、筐体取付部領域及び点滅器支持部領域の各々に、位置ずれ防止体を形成するようにしたので、経年的に筐体取付部及び点滅器支持部の位置ずれを防止することができるという利点がある。
【００２９】
本発明によれば、筐体部の鉛直方向下側の面にリード線を筐体部に導入するための開口部が形成されているので、雨水が筐体部内に浸入することが少ないという効果がある。
【００３０】
本発明によれば、開口部を多数の切込みスリットが形成された弾性絶縁体で覆うようにしたので、リード線を切込みスリットから筐体部内に導入するようにすればよく、この際、切込みスリットよりもリード線の径が大きければ絶縁弾性体の弾性力に実質上スリットは塞がれる状態となって、筐体部内への雨水の浸入を確実に防止できるばかりでなく、昆虫等の異物の侵入も防止できる。
【００３１】
本発明によれば、本体部に前記端子部の外周よりも外側で端子部を取り囲むように水切り溝を形成するようにしたので、たとえ筐体部内に雨水が浸入したとしても、雨水は水切り溝を通って開口部から排出されることになる。
【００３２】
本発明によれば、端子部において端子を鉛直方向に沿って複数列に配列して、蓋部を本体部に蝶番を回転支点として回動可能に取り付けて、蓋部を開いた状態で自動点滅器から導出するリード線は蓋部よりに位置する列の端子に接続するようにしたので、自動点滅器と端子との接続が容易になるという利点がある。
【発明を実施するための最良の形態】
【００３３】
以下、本発明の実施形態による自動点滅器接続器具の一例について図面を参照して説明する。まず、図１を参照すると、図１は自動点滅器接続器具１０の一例を正面から見た図であり、この自動点滅器接続器具１０は、屋外物（屋外に設置された物体）の一例である電柱（図１には示さず）に取り付けられて、後述するように、自動点滅器、灯火器である外灯、及び電源（ともに図１には示さず）の三者を電気的に接続し、さらに、自動点滅器を支持する。
【００３４】
続いて、図２〜図６も参照して、図２は自動点滅器接続器具１０をその側面から見た図、図３は自動点滅器接続器具１０を裏面側（背面側）から見た図、図４は自動点滅器接続器具１０を上面側から見た図である。そして、図５は自動点滅器接続器具１０を底面側から見た図、図６は自動点滅器接続器具１０を一部破断して側面側から見た図である。自動点滅器接続器具１０は筐体部を備えており、この筐体部は後述する端子板（端子部）が収納される本体部（例えば、樹脂製）４０とこの本体部４０に蝶番７０を回動支点として取り付けられ開閉可能な蓋部（例えば、樹脂製）５０とを有している。
【００３５】
図２に示すように、蓋部５０の一側面には固定アーム部（例えば、ステンレス製）４８が配設され、この固定アーム部４８はその一端（図２において左端）で蓋部５０に取り付けられ、他端が本体部４０側に延びている。そして、固定アーム部４８の他端側は二股状となっている（つまり、図２において左右に延びる間隙４８ａが形成されている）。蓋部５０を閉じた状態において、この間隙４８ａに対応して蓋部５０には、図２において紙面の表側から裏側に延びるネジ穴（図示せず）が形成され、このネジ穴には蝶ナット４６のネジ軸が螺合されている。
【００３６】
蓋部５０と本体部４０とを当接させた状態で（つまり、蓋部５０を閉じた状態で）、蝶ナット４６を締めれば、蝶ナット４６によって固定アーム部４８が締め付けられて、二股部分によって本体部４０が押さえつけられることになって、蓋部５０が閉じた状態で本体部４０に固定されることになる。一方、蝶ナット４６を緩めると、二股部分が本体部４０から離間し、この結果、蓋部５０を蝶番７０回りに回動させて図２に実線矢印で示す方向に開くことができる。
【００３７】
図１に示すように、蓋部５０の表面（正面）には、所定の間隔をおいて上下方向に延びる一対の位置ずれ止め体５４が配設されており、位置ずれ止め体５４で規定される領域は自動点滅器を取り付ける領域（以下点滅器領域（点滅器支持部領域）と呼ぶ）として用いられる。この点滅器領域は上下方向に予め定められた間隔をおいて一対の固定ネジ（例えば、ステンレス製）５６が配置されている。そして、後述するように、点滅器領域に自動点滅器を支持するための支持金具が配置され、固定ネジ５６によって固定される。この際、位置ずれ止め体５４によって支持金具の位置ずれが防止される。
【００３８】
図３に示すように、本体部４０の表面（つまり、筐体部の裏面）には、所定の間隔をおいて上下方向に延びる一対の位置ずれ止め体１０８が配設されており、位置ずれ止め体１０８で規定される領域（以下筐体取付部領域と呼ぶ）には、取付金具（筐体取付部）１００の一端側が配置され、固定ネジ１０６によって本体部４０に固定されている。図示の例では、一箇所で取付金具１００を本体部４０に固定しているが、位置ずれ止め体１０８によって取付金具１００の位置ずれが防止されるため、問題はない。
【００３９】
この取付金具１００は図中下方（鉛直方向）に延在し、図２に示すように、段差部分１００ａを介して下方に延在している。取付金具１００の下端側部分において、その本体部４０側に面した面には、固定バンド（ステンレスバンド）が通過する空間（穴部）１０４ａを規定するための穴部形成体１０４が設けられている。また、下端側部分には、上下方向に所定の間隔をおいて一対の固定穴１０２が形成されている。
【００４０】
図５及び図６を参照すると、蓋部５０の底面には、例えば、矩形状のリード線挿入口（開口部）が形成され、このリード線挿入口は、例えば、複数の切込みスリット５８ａが形成された絶縁弾性体５８で覆われている（ブラシ状の絶縁弾性体をリード線挿入口の内壁に植設して、リード線挿入口を覆うようにしてもよい）。つまり、リード線挿入口は切込みスリット５８ａを有する絶縁弾性体５８で覆われる結果、切込みスリット５８ａを通して、電源、外灯、及び自動点滅器から導出するリード線を挿入するようにすればよい。また、筐体部中に雨水のような水分が浸入したとしても、水分はリード線挿入口を通って排出され、さらに昆虫等の異物の侵入を、絶縁弾性体５８によって防止することができる。なお、リード線挿入口には、必ずしも絶縁弾性体５８を設ける必要はない。
【００４１】
続いて、図７を参照して、上述の自動点滅器接続器具１０を用いた、電源６００、外灯４００、及び自動点滅器５００の接続例について説明する。図７は蓋部５０を開いた状態の自動点滅器接続器具１０を示す図であり、本体部４０には後述する端子板（端子部）２０を固定するための固定板部４２が形成され、この固定板部４２には固定ネジ２３及び２４によって端子板２０が取り付けられている。
【００４２】
図示の例では、この端子板２０には合計８個の端子２６〜３３が備えられており、端子は４個ずつ２列に鉛直方向に配列されている。さらに、固定板部４２には端子板２０の外側で端子板２０を取り囲むようにして、水切り溝（内部浸水防止溝）４４が形成されている。この水切り溝４４は、端子板２０の下側部分に対応する箇所を除いて、つまり、鉛直方向下側の部分を除いて形成されており、その結果、水切り溝４４は鉛直方向端が終端していることになる。
【００４３】
また、前述の点滅器支持領域には、自動点滅器５００を支持するための支持金具（点滅器支持部）９０の一端部側が一対の固定ネジ５２によって固定される。この支持金具９０は図示のように、その下端部側が水平に曲げられた後、上向きに曲げられ、さらに水平に曲げられて、自動点滅器固定台部９０ａが規定されている。そして、この自動点滅器固定台部９０ａに自動点滅器５００の底部が載置されて、固定ネジ９２によって自動点滅器５００が自動点滅器固定台部９０ａ、つまり、支持金具９０に固定される（固定ネジ９２を緩めて取り外せば、自動点滅器５００を支持金具９０から取り外すことができる。つまり、自動点滅器５００は支持金具９０に対して着脱可能となっている）。
【００４４】
図示の例では、端子２６及び２７に非接地側線（黒線：Ｂ）が対応し、端子２８及び２９に非接地側線（赤線：Ｒ）が対応する。そして、端子３０〜３３に接地側線（白線：Ｗ）が対応する。
【００４５】
そして、電源６００から導出するリード線１１１及び１１６がそれぞれ端子２７及び３２に接続され、外灯４００から導出するリード線１１４及び１１７がそれぞれ端子２９及び３３に接続される。また、自動点滅器５００から導出するリード線１１２、１１３、及び１１５がそれぞれ端子２６、２８、及び３０に接続されて、自動点滅器５００を介して電源６００と外灯４００とが電気的に接続される。
【００４６】
図示はしないが、自動点滅器５００は、ＣｄＳセル（硫化カドミウム光導電素子）を備えており、ＣｄＳセルによって明暗を検知して、これによって、赤線（Ｒ）に接続されたスイッチ（図示せず）をオンオフ制御して、スイッチがオンの際に、つまり、自動点滅器５００の周囲が暗くなった際に、電源６００と外灯４００とを電気的に接続して外灯４００を点灯させる。
【００４７】
なお、図８は、別のタイプの自動点滅器５００の取り付け例を示す図であり、図示の例では、鉤型の支持金具９０の一端を前述の点滅器支持領域に固定ネジ５６によって固定し、他端側を自動点滅器固定台部９０ａとして、この自動点滅器固定台部９０ａの下側面に自動点滅器５００の底面を装着している。
【００４８】
図９は、自動点滅器接続器具１０を屋外物である電柱７００に取り付けた第１の例を示す図であり、図示の例では、電源は省略されており、さらに、外灯４００と自動点滅器接続器具１０との接続も省略されている。ここでは、外灯４００を支持する支持金具４００ａはステンレスバンド７００ｂによって電柱７００に固定される。
【００４９】
図示のように、自動点滅器接続器具１０を電柱７００に取り付ける際には、取付金具１００に設けられた穴部形成体１０４の穴部１０４ａに固定バンド（ステンレス製）７００ａを通して、固定バンド７００ａによって取付金具１００を電柱７００に固定する。つまり、固定バンド７００ａによって自動点滅器接続器具１０を電柱７００に固定することになる。自動点滅器５００は蓋部５０の表面に固定された支持金具９０に支持されているから、自動点滅器５００は電柱７００から離間して位置することになって、電柱７００に邪魔されて自動点滅器５００の検知精度が落ちることはない。そして、自動点滅器接続器具１０を電柱７００に固定すれば、自動点滅器５００自体も電柱７００に固定されることになる。
【００５０】
図１０は、自動点滅器接続器具１０を屋外物である電柱７００に取り付けた第２の例を示す図であり、図示の例では、電源は省略されており、さらに、外灯４００と自動点滅器接続器具１０との接続も省略されている。図示のように、自動点滅器接続器具１０を電柱７００に取り付ける際には、取付金具１００自体を、自在バンド（ステンレスバンド）７００ｃを用いて電柱７００に固定する。この際には、穴部形成体１０４を避けるようにして、自在バンド７００ｃが取付金具１００に装着されることになる。
【００５１】
図１１は、自動点滅器接続器具１０を屋外物である電柱に取り付けた第３の例を示す図であり、図示の例では、電源は省略されており、さらに、外灯４００と自動点滅器接続器具１０との接続も省略されている。図示の例では、電柱（図示せず）には、中空状の腕金７００ｄが固定されて、電柱の径方向外側に延びている（図１１において紙面の裏側から表側に延びている）。そして、この腕金７００ｄに外灯４００の支持金具４００ａ及び自動点滅器接続器具１０の取付金具１００が取り付けられる。
【００５２】
具体的には、取付金具１００に形成された固定穴１０２の一方を通してネジボルト体７００ｅを挿通し、ネジボルト体７００ｅを腕金７００ｄ及び支持金具４００ａを貫通させて（腕金７００ｄ及び支持金具４００ａには予め貫通穴が形成されている）、ネジボルト体７００ｅの両端にナットをねじ込んで腕金７００ｄに取付金具１００及び支持金具４００ａを固定する。このようにすれば、１つのネジボルト体７００ｅによって取付金具１００及び支持金具４００ａの２つを腕金７００ｄに固定することができる。つまり、１つのネジボルト体７００ｅによって自動点滅器接続器具１０及び外灯４００を腕金７００ｄに固定することができる。
【００５３】
図１２は、自動点滅器接続器具１０を屋外物である建物の外壁７００ｆに取り付けた第４の例を示す図であり、図示の例では、電源及び外灯は省略されている。外壁７００ｆに自動点滅器接続器具１０を取り付ける際には、取付金具１００を外壁７００ｆに当接した状態で、取付金具１００に形成された一対の固定穴１０２にそれぞれ固定ネジ７００ｇを挿入し、固定ネジ７００ｇを外壁７００ｆにねじ込む。これによって、取付金具１００、つまり、自動点滅器接続器具１０が外壁７００ｆに固定される。
【００５４】
図１２に示す例では、自動点滅器５００は蓋部５０の表面に取り付けられた支持金具９０で支持されているから、自動点滅器５００が建物から離間するので、建物によって阻害されることがなく、良好に明暗を検知することができる。
【００５５】
ところで、図１３に示すように、取付金具１００の延在方向は上向きに変えるようにしてもよい。つまり、上述の例では、取付金具１００を下向きに延在する方向に本体部４０の表面に取り付けたが、自動点滅器接続器具１０の配置場所によっては、取付金具１００を逆向き（つまり、上向き）に延在するように、本体部４０の表面に配設したほうがよい場合もある。
【００５６】
この際には、図１３に破線で示すように下向きに延在する取付金具１００を、実線で示すように上向きに延在するように付け替えればよい。このようにして、取付金具１００の延在方向を変えるようにすれば、どのような場所にも自動点滅器接続器具１０を固定することが可能となる。
【００５７】
以上種々の例を挙げて本発明について説明したが、本発明の自動点滅器接続器具１０は、電源、灯火器、及び自動点滅器から導出されるリード線が接続される複数の端子を有する端子板２０を収納する筐体部と、筐体部の表面に配設されて筐体部を屋外物に取り付け固定するための取付金具１００と、筐体部の表面に配設されて自動点滅器を着脱可能に支持する支持金具９０を有していればよく、上述の例に応じて種々の変形が可能である。
【００５８】
以上説明したように、ここでは、端子板の端子に電源、灯火器、及び自動点滅器から導出されるリード線を接続するようにしたので、容易にしかも短時間で自動点滅器と外灯及び電源を接続することができるばかりでなく、自動点滅器又は外灯を交換する際リード線を切断する必要がなく、自動点滅器、外灯、及び電源の三者を接続できないという事態が生じることがない。さらに、筐体部に収納された端子板を用いて、自動点滅器、外灯、及び電源を接続しているから、短絡事故が発生することがない。
【００５９】
さらに、上述の例では、電柱に、筐体部に設けられた取付金具によって自動点滅器接続器具を固定し、筐体部に配設された支持金具に自動点滅器を支持するようにしたので、自動点滅器接続器具を電柱等に固定すれば、別に自動点滅器を支持するため部材を電柱に取り付ける必要はない。
【図面の簡単な説明】
【００６０】
【図１】本発明の実施の形態による自動点滅器接続器具の一例を正面から示す図である。
【図２】本発明の実施の形態による自動点滅器接続器具の一例を側面から示す図である。
【図３】本発明の実施の形態による自動点滅器接続器具の一例を裏面側（背面側）から示す図である。
【図４】本発明の実施の形態による自動点滅器接続器具の一例を上面側から示す図である。
【図５】本発明の実施の形態による自動点滅器接続器具の一例を底面側から示す図である。
【図６】本発明の実施の形態による自動点滅器接続器具の一例を一部破断して側面側から示す図である。
【図７】図１〜図５に示す自動点滅器接続器具を用いた接続例を示す図である。
【図８】別のタイプの自動点滅器の取り付け例を示す図である。
【図９】自動点滅器接続器具を電柱に取り付けた第１の例を示す図である。
【図１０】自動点滅器接続器具を電柱に取り付けた第２の例を示す図である。
【図１１】自動点滅器接続器具を電柱に取り付けた第３の例を示す図である。
【図１２】自動点滅器接続器具を建物の外壁に取り付けた第４の例を示す図である。
【図１３】自動点滅器接続器具の取付金具の延在方向を変化させた例を示す図である。
【図１４】従来の自動点滅器と外灯及び電源との接続例を示す図である。
【符号の説明】
【００６１】
１０  自動点滅器接続器具
４０  本体部
４６  蝶ナット
４８  固定アーム部
５０  蓋部
５８  絶縁弾性体
７０  蝶番
９０  支持金具
１００  取付金具
１０２  固定穴
１０４  穴部形成体
５４，１０８  位置ずれ止め体
【図１】
2008071610.tif 000003
【図２】
2008071610.tif 000004
【図３】
2008071610.tif 000005
【図４】
2008071610.tif 000006
【図５】
2008071610.tif 000007
【図６】
2008071610.tif 000008
【図７】
2008071610.tif 000009
【図８】
2008071610.tif 000010
【図９】
2008071610.tif 000011
【図１０】
2008071610.tif 000012
【図１１】
2008071610.tif 000013
【図１２】
2008071610.tif 000014
【図１３】
2008071610.tif 000015
【図１４】
2008071610.tif 000016